(57)【要約】【課題】片方向のみに情報が伝送可能な構成であっても、ネットワーク上の装置の監視や制御を行うことが可能な伝送システムを提供する。【解決手段】放送局１０〜６０からなるリング状のネットワーク上で、フレームデータを循環させ、各放送局は自局に割り当てられたスロットから自局宛ての情報を抽出し、また目的に基地局に対してはその基地局に対応するスロットに情報を挿入して、送信を行うようにしたものである。【選択図】      図１
2005252681.tif 000002
【特許請求の範囲】
【請求項１】
受信装置と送信装置を備えた複数の通信局をループ状に接続し、片方向にデータを伝送を行う伝送システムであって、
前記受信装置および前記送信装置によって通信局間で伝送されるデータは、複数のデータスロットからなり、各データスロットがそれぞれ通信局に割り当てられ、
前記受信装置は、自局に割り当てられたデータスロットから自局宛てのデータを抽出し、
前記送信装置は、所望の通信局に対して、この通信局に対応するデータスロットを通じてデータを送信することを特徴とする伝送システム。
【請求項２】
前記通信局は、自己診断を行う自己診断手段と、
この自己診断手段の診断結果を自局に割り当てられたデータスロットに挿入して、前記送信装置を通じて送信する自己情報送信制御手段とを備えることを特徴とする請求項１に記載の伝送システム。
【請求項３】
前記通信局は、自己の受信装置による受信が正常に行えているか否かを判定する判定手段と、
この判定手段が正常な受信が行えていないと判定した場合に、当該通信局にデータを送信する通信局に割り当てられたデータスロットに、正常な受信が行えない旨を通知する情報を挿入して、前記送信装置を通じて送信する障害情報送信制御手段とを備えることを特徴とする請求項１に記載の伝送システム。
【発明の詳細な説明】
【技術分野】
【０００１】
この発明は、例えば放送局間を結ぶネットワークで用いられる伝送システムに関する。
【背景技術】
【０００２】
周知のように、例えば放送局間を中継するのに用いられる従来の伝送システムは、複数の放送局がシリアルに接続されてネットワークを構築している。そして、放送局間で情報を伝送するのに、各放送局は受信した情報を予め決められた隣接する放送局に送信を行うことで、一方向のみに伝送が可能な構造となっている。
【０００３】
そして、このような伝送システムでは、ネットワーク上の各装置を監視あるいは制御する場合、主信号に監視信号や制御信号を多重化して送信を行う。しかしながら、このような構成の伝送システムでは、片方向のみに伝送が行われるため、伝送路の下流側の装置から上流側の装置に対しては送信を行うことができないという問題があった。  
このため従来は、監視・制御用の回線を別途設ける構成としていた（例えば、特許文献１参照）。しかし、このように専用の回線を設ける場合、膨大なコストがかかるという問題がある。
【特許文献１】特開２００３−２７３８１７公報
【発明の開示】
【発明が解決しようとする課題】
【０００４】
従来の伝送システムでは、片方向のみに情報が伝送可能な構成の場合、ネットワーク上の装置の監視や制御を行うことができないという問題があった。  
この発明は上記の問題を解決すべくなされたもので、片方向のみに情報が伝送可能な構成であっても、ネットワーク上の装置の監視や制御を行うことが可能な伝送システムを提供することを目的とする。
【課題を解決するための手段】
【０００５】
上記の目的を達成するために、この発明は、受信装置と送信装置を備えた複数の通信局をループ状に接続し、片方向にデータを伝送を行う伝送システムであって、受信装置および送信装置によって通信局間で伝送されるデータは、複数のデータスロットからなり、各データスロットがそれぞれ通信局に割り当てられ、受信装置は、自局に割り当てられたデータスロットから自局宛てのデータを抽出し、送信装置は、所望の通信局に対して、この通信局に対応するデータスロットを通じてデータを送信することを特徴とする。
【発明の効果】
【０００６】
以上述べたように、この発明では、複数の通信局をループ状に接続し、片方向にデータを伝送を行う伝送システムであって、各通信局は、自局に割り当てられたデータスロットから自局宛てのデータを抽出し、所望の通信局に対して、この通信局に対応するデータスロットを通じてデータを送信するようにしている。  
したがって、この発明によれば、片方向のみに情報が伝送可能な構成であっても、ネットワーク上の装置の監視や制御を行うことが可能な伝送システムを提供できる。
【発明を実施するための最良の形態】
【０００７】
以下、図面を参照して、この発明の一実施形態について説明する。  
図１は、この発明の一実施形態に係わる伝送システムの構成を示すものである。この実施形態では、放送局間でデータ伝送を行う伝送システムを例に挙げて説明する。
【０００８】
この伝送システムは、６つの放送局１０〜６０がリング状のネットワークを形成している。放送局１０−放送局２０間、放送局３０−放送局４０間および放送局５０−放送局６０間は、それぞれ無線によりデータ伝送が行われる。データの流れは、放送局１０から放送局２０へ、放送局３０から放送局４０へ、そして放送局５０から放送局６０へと送られる。
【０００９】
また放送局２０−放送局３０間、放送局４０−放送局５０間および放送局６０−放送局１０間は、それぞれ有線回線によりデータ伝送が行われる。データの流れは、放送局２０から放送局３０へ、放送局４０から放送局５０へ、そして放送局６０から放送局１０へと送られる。特に放送局６０−放送局１０間は、公衆網７０を通じてデータ伝送を行う場合を例に挙げて説明しているが、他の区間も公衆網を通じてデータ伝送を行う構成であってもよい。
【００１０】
そしてこのネットワークで伝送されるデータは、図２に示すようなフレームをフォーマットとして構成される。すなわち、１つのフレームは＃０〜＃６のスロットで構成され、＃０には、当該データのフォーマットに関する制御情報や、各放送局１０〜６０に共通に送られる同報情報が挿入される。上記制御情報としては、＃１〜＃６の各スロットが、どの放送局１０〜６０に対応するかを示す情報などが含まれる。
【００１１】
そして、＃１スロットは放送局１０に対応し、＃２スロットは放送局２０に対応し、＃３スロットは放送局３０に対応し、＃４スロットは放送局４０に対応し、＃５スロットは放送局５０に対応し、＃６スロットは放送局６０に対応している。
【００１２】
図３に放送局１０の構成を示す。  
この図に示すように放送局１０は、通信部１１と、制御部１２と、記憶部１３と、データ入出力部１４と、無線通信部１５と、アンテナ１６とを備える。通信部１１は、公衆網７０を通じて放送局６０から送信されるデータを受信するものである。
【００１３】
制御部１２は、当該放送局１０の各部を統括して制御するものであって、例えば通信部１１が受信したデータから必要なデータを抽出したり、これを記憶部１３に記録したりする。また、制御部１２は、自局に生じた障害や運用状態を検出する機能を備えており、これらの自局に関する情報を検出し、その情報を記憶部１３に記録する。
【００１４】
さらに、制御部１２は、通信部１１が受信したデータや、記憶部１３に記録されるデータを無線通信部１５に転送する。そしてまた、制御部１２は、データ入出力部１４を通じて入力されたデータを記憶部１３に記録したり、データ入出力部１４より入力された情報にしたがって、種々の制御を行う機能を備える。
【００１５】
記憶部１３は、半導体やハードディスクなどの記録媒体を用いた記憶装置であって、当該放送局１０宛てに送信されたデータや、他の放送局に送るべきデータ、放送局の識別情報ＩＤとスロット＃１〜＃６とを対応づけたテーブルなどを記憶する。
【００１６】
データ入出力部１４は、パーソナルコンピュータなどが接続可能なインターフェイスであって、接続される機器と制御部１２との間でデータ通信を行うためのものである。  
無線通信部１５は、制御部１２より与えられるデータを無線信号により、アンテナ１６を介して放送局２０に送信するものである。
【００１７】
図４に放送局２０の構成を示す。  
この図に示すように放送局２０は、アンテナ２１と、無線通信部２２と、制御部２３と、記憶部２４と、データ入出力部２５と、通信部２６とを備える。無線通信部２２は、アンテナ２１を介して放送局１０から送信される無線信号を受信し、放送局１０から送信されたデータを受信して制御部２３に出力する。
【００１８】
制御部２３は、当該放送局２０の各部を統括して制御するものであって、例えば無線通信部２２が受信したデータから必要なデータを抽出したり、これを記憶部２４に記録したりする。また、制御部２３は、自局に生じた障害や運用状態を検出する機能を備えており、これらの自局に関する情報を検出し、その情報を記憶部２４に記録する。
【００１９】
さらに、制御部２３は、無線通信部２２が受信したデータや、記憶部２４に記録されるデータを通信部２６に転送する。そしてまた、制御部２３は、データ入出力部２５を通じて入力されたデータを記憶部２４に記録したり、データ入出力部２５より入力された情報にしたがって、種々の制御を行う機能を備える。
【００２０】
記憶部２４は、半導体やハードディスクなどの記録媒体を用いた記憶装置であって、当該放送局２０宛てに送信されたデータや、他の放送局に送るべきデータ、放送局の識別情報ＩＤとスロット＃１〜＃６とを対応づけたテーブルなどを記憶する。
【００２１】
データ入出力部２５は、パーソナルコンピュータなどが接続可能なインターフェイスであって、接続される機器と制御部２３との間でデータ通信を行うためのものである。  
通信部２６は、放送局３０と有線回線で接続されており、制御部２３から与えられるデータを放送局３０に送信するものである。
【００２２】
図５に放送局３０の構成を示す。  
この図に示すように放送局３０は、通信部３１と、制御部３２と、記憶部３３と、データ入出力部３４と、無線通信部３５と、アンテナ３６とを備える。通信部３１は、放送局２０と有線回線で接続されており、放送局２０から送信されるデータを受信するものである。
【００２３】
制御部３２は、当該放送局３０の各部を統括して制御するものであって、例えば通信部３１が受信したデータから必要なデータを抽出したり、これを記憶部３３に記録したりする。また、制御部３２は、自局に生じた障害や運用状態を検出する機能を備えており、これらの自局に関する情報を検出し、その情報を記憶部３３に記録する。
【００２４】
さらに、制御部３２は、通信部３１が受信したデータや、記憶部３３に記録されるデータを無線通信部３５に転送する。そしてまた、制御部３２は、データ入出力部３４を通じて入力されたデータを記憶部３３に記録したり、データ入出力部３４より入力された情報にしたがって、種々の制御を行う機能を備える。
【００２５】
記憶部３３は、半導体やハードディスクなどの記録媒体を用いた記憶装置であって、当該放送局３０宛てに送信されたデータや、他の放送局に送るべきデータ、放送局の識別情報ＩＤとスロット＃１〜＃６とを対応づけたテーブルなどを記憶する。
【００２６】
データ入出力部３４は、パーソナルコンピュータなどが接続可能なインターフェイスであって、接続される機器と制御部３２との間でデータ通信を行うためのものである。  
無線通信部３５は、制御部３２より与えられるデータを無線信号により、アンテナ３６を介して放送局４０に送信するものである。
【００２７】
放送局４０は、放送局３０から無線送信されるデータを受信するとともに、有線回線を通じてデータを放送局５０に送信するものである。なお、放送局４０は、図４に示した放送局２０と同様の構成であることより説明を省略する。
【００２８】
放送局５０は、放送局４０から有線回線を通じて送信されるデータを受信するとともに、無線信号を用いてデータを放送局６０に送信するものである。なお、放送局５０は、図５に示した放送局３０と同様の構成であることより説明を省略する。
【００２９】
図６に放送局６０の構成を示す。  
この図に示すように放送局６０は、アンテナ６１と、無線通信部６２と、制御部６３と、記憶部６４と、データ入出力部６５と、通信部６６とを備える。無線通信部６２は、アンテナ６１を介して放送局５０から送信される無線信号を受信し、放送局５０から送信されたデータを受信して制御部６３に出力する。
【００３０】
制御部６３は、当該放送局６０の各部を統括して制御するものであって、例えば無線通信部６２が受信したデータから必要なデータを抽出したり、これを記憶部６４に記録したりする。また、制御部６３は、自局に生じた障害や運用状態を検出する機能を備えており、これらの自局に関する情報を検出し、その情報を記憶部６４に記録する。
【００３１】
さらに、制御部６３は、無線通信部６２が受信したデータや、記憶部６４に記録されるデータを通信部６６に転送する。そしてまた、制御部６３は、データ入出力部６５を通じて入力されたデータを記憶部６４に記録したり、データ入出力部６５より入力された情報にしたがって、種々の制御を行う機能を備える。
【００３２】
記憶部６４は、半導体やハードディスクなどの記録媒体を用いた記憶装置であって、当該放送局６０宛てに送信されたデータや、他の放送局に送るべきデータ、放送局の識別情報ＩＤとスロット＃１〜＃６とを対応づけたテーブルなどを記憶する。
【００３３】
データ入出力部６５は、パーソナルコンピュータなどが接続可能なインターフェイスであって、接続される機器と制御部６３との間でデータ通信を行うためのものである。  
通信部６６は、公衆網７０を通じて放送局１０に接続されており、制御部６３から与えられるデータを放送局１０に送信するものである。
【００３４】
次に、上記構成の伝送システムの動作について説明する。  
各放送局１０〜６０は、隣接する放送局からデータを受信する手段と、送信する手段が無線であったり有線であったりして異なる点はあるものの、各制御部における制御動作は同じである。
【００３５】
ここでは特に、隣接する放送局との通信に関わる通信制御動作について説明する。図７に示すフローチャートは、各放送局１０〜６０における上記通信制御動作を説明するためのものであって、１フレーム毎に繰り返し実行される。以下の説明では、放送局１０を例に挙げて説明する。
【００３６】
まずステップ７ａにおいて制御部１２は、通信部１１を制御して、隣接する放送局６０から１フレームのデータを受信する。そして、スロット＃０に挿入される同報情報を抽出して記憶部１３に記録し、ステップ７ｂに移行する。
【００３７】
ステップ７ｂにおいて制御部１２は、受信したフレームデータのうち、自局に割り当てられたスロット＃１にデータが挿入されているか否かを判定する。ここで上記スロット＃１にデータが挿入されている場合には、ステップ７ｃに移行し、一方、上記スロット＃１にデータが挿入されていない場合には、ステップ７ｄに移行する。
【００３８】
ステップ７ｃにおいて制御部１２は、図８に示すように、ステップ７ａで受信したフレームデータのうち、当該放送局１０に割り宛てられたスロット＃１に挿入されたデータを抽出し、記憶部１３に記録する。また制御部１２は、抽出したデータに含まれるＩＤから送り元の放送局を判断し、この放送局宛ての応答データを生成する。そして、上記送り元の放送局のＩＤを宛先として、上記応答データを記憶部１３に記録し、ステップ７ｄに移行する。
【００３９】
ステップ７ｄにおいて制御部１２は、記憶部１３に送信すべきデータがあるか否かを判定する。ここで送信すべきデータがある場合には、ステップ７ｅに移行し、一方、送信すべきデータがない場合には、ステップ７ｆに移行する。なお、送信すべきデータとしては、ステップ７ｃで生成された応答データや、データ入出力部１４より入力されたデータ、制御部１２によって生成されたデータなどが考えられる。
【００４０】
ステップ７ｅにおいて制御部１２は、記憶部１３から、送信すべきデータを読み出して、このデータから宛先となる放送局にＩＤを検出する。そしてこのデータを、ステップ７ａで受信したフレームデータの宛先に対応するスロットに挿入して、フレームデータを再構築し、ステップ７ｆに移行する。図９に示す例では、放送局３０にデータを送信すべく、スロット＃３にデータを挿入している。
【００４１】
ステップ７ｆにおいて制御部１２は、通信部１１および無線通信部１５による通信が正常に行われているかなど、自局に障害が発生していないかを自己診断するとともに、この診断結果を基に、通信部１１および無線通信部１５が正常であるにもかかわらず、放送局６０からの受信が正常に行われない状態になっていないかなどを判定する。そしてこの判定結果を記憶部１３に記録し、ステップ７ｇに移行する。
【００４２】
ステップ７ｇにおいて制御部１２は、ステップ７ｆで自己診断した結果に基づいて、自局の状態を示す監視情報を生成するとともに、放送局６０から受信が正常に行えない場合に、放送局６０に宛てた障害報知情報を生成する。上記監視情報をを、フレームデータの自局用のスロット＃１に挿入し、障害報知情報を生成した場合には、これを放送局６０用のスロット＃６に挿入して、フレームデータを再構築し、ステップ７ｈに移行する。  
ステップ７ｈにおいて制御部１２は、無線通信部１５を制御して、フレームデータを放送局２０宛てに送信し、当該処理を終了する。
【００４３】
以上のように、上記構成の伝送システムでは、放送局１０〜６０からなるリング状のネットワーク上で、フレームデータを循環させ、各放送局は自局に割り当てられたスロットから自局宛ての情報を抽出し、また目的に基地局に対してはその基地局に対応するスロットに情報を挿入して、送信を行うようにしている。
【００４４】
例えば、放送局４０が放送局３０からデータが受信できなくなった場合には、放送局３０に対応するスロット＃３に障害発生を問い合わせる情報を挿入してフレームデータを構築して放送局５０に送信し、やがてこのフレームデータはネットワークを循環して放送局３０によって受信される。
【００４５】
これに対して放送局３０では、スロット＃３の受信により放送局４０からの通知を受け、制御部３２が無線通信部３５などを診断して自局内に障害が発生していないかを検証する。そして障害発生を検出すると、障害の復旧や通信経路の迂回など、放送局４０との通信路を確保して通信を再開する。
【００４６】
また各放送局は、自局の自己診断情報を自局に割り当てられたスロットに挿入して送信を行うようにしているので、他の放送局は、必要が生じた場合に、所望の基地局のスロットに挿入された情報を抽出・検証することで、他の放送局の状態を把握することができる。
【００４７】
このように、上記構成の伝送システムによれば、片方向のみに情報が伝送可能な構成であっても、ネットワークを共通の情報が循環することになるので、ネットワーク上の装置の監視や制御を行うことができる。
【００４８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図面の簡単な説明】
【００４９】
【図１】この発明に係わる伝送システムの一実施形態の構成を示すシステム構成図。
【図２】図１に示した伝送システムの放送局間でやりとりされるデータのフォーマットを示す図。
【図３】図１に示した伝送システムの放送局１０の構成を示す回路ブロック図。
【図４】図１に示した伝送システムの放送局２０の構成を示す回路ブロック図。
【図５】図１に示した伝送システムの放送局３０の構成を示す回路ブロック図。
【図６】図１に示した伝送システムの放送局６０の構成を示す回路ブロック図。
【図７】図１に示した伝送システムの各放送局の通信制御動作を説明するためのフローチャート。
【図８】図１に示した伝送システムの放送局１０が自局宛てのデータを抽出する動作を説明するための図。
【図９】図１に示した伝送システムの放送局１０が放送局３０宛てにデータを挿入する動作を説明するための図。
【符号の説明】
【００５０】
１０…放送局、１１…通信部、１２…制御部、１３…記憶部、１４…データ入出力部、１５…無線通信部、１６…アンテナ、２０…放送局、２１…アンテナ、２２…無線通信部、２３…制御部、２４…記憶部、２５…データ入出力部、２６…通信部、３０…放送局、３１…通信部、３２…制御部、３３…記憶部、３４…データ入出力部、３５…無線通信部、３６…アンテナ、４０…放送局、５０…放送局、６０…放送局、６１…アンテナ、６２…無線通信部、６３…制御部、６４…記憶部、６５…データ入出力部、６６…通信部、７０…公衆網。
【図１】
2005252681.tif 000003
【図２】
2005252681.tif 000004
【図３】
2005252681.tif 000005
【図４】
2005252681.tif 000006
【図５】
2005252681.tif 000007
【図６】
2005252681.tif 000008
【図７】
2005252681.tif 000009
【図８】
2005252681.tif 000010
【図９】
2005252681.tif 000011